(57)【要約】【課題】複数の画像処理機能を有し且つユーザ認証が可能な画像処理装置において、ユーザの操作回数を低減して、所望の画像処理機能の操作画面の表示及びその画像処理機能による画像処理を実行可能にする。【解決手段】画像処理装置は、ユーザ認証部（認証部１４で例示）と、操作画面を表示可能な操作部（操作パネル４０で例示）と、認証ユーザ毎に、ユーザ操作の入力を経て表示される画像処理機能の操作画面について、その操作画面と認証部１４でのユーザ認証処理の前又は後に入力する置数キーとを対応付けて記憶部１３に登録する登録部と備える。画像処理装置は、ユーザ認証処理且つ置数キーの入力がなされたときに、その操作画面又は画像処理中若しくは画像処理後の画面を表示させるとともに、その画像処理機能による画像処理を実行する。【選択図】図２
2011239251.tif 000002
【特許請求の範囲】
【請求項１】
複数の画像処理機能を有する画像処理装置であって、
操作画面を表示可能な操作部と、
ユーザ認証部と、
該ユーザ認証部で認証可能なユーザ毎に、ユーザ操作の入力を経て表示される前記画像処理機能の操作画面について、該操作画面と前記ユーザ認証部でのユーザ認証処理の前又は後に入力する置数キーとを対応付けて登録する登録部と備え、
前記ユーザ認証処理且つ前記置数キーの入力がなされたときに、前記操作画面、又は前記画像処理機能による画像処理を実行中若しくは実行後の画面を表示させるとともに、前記画像処理機能による画像処理を実行することを特徴とする画像処理装置。
【請求項２】
請求項１に記載の画像処理装置において、
前記置数キーの入力に引き続き、数字キーが入力されたとき、前記置数キーに対応付けられた前記画像処理機能による画像処理を該数字キーが示す繰り返し回数だけ繰り返し、
前記置数キーの入力に引き続き、前記数字キーが入力されなかった場合、前記画像処理機能による画像処理を１回実行することを特徴とする画像処理装置。
【発明の詳細な説明】
【技術分野】
【０００１】
本発明は、複数の画像処理機能を有し、且つユーザ認証が可能な画像処理装置に関する。
【背景技術】
【０００２】
複写機、ファクシミリ装置等の画像形成装置をはじめとする画像処理装置は、ユーザの利便性のために多数の機能を有しており、それに応じて、操作画面（画像処理条件を設定するための画面）の数が多くなる。このために、多数の操作画面のうちからユーザが所望する１つの操作画面を選択する際の容易性を高める目的で、初期操作画面から中間の選択画面を経由してユーザが所望する操作画面に至るように構成されている。
【０００３】
このため、所望する設定のための操作画面に至るまでに、ユーザが操作する回数は多くなってしまう。複写機能、ファクシミリ機能、スキャン機能、及びプリンタ機能のうちの少なくとも２つの機能を備えた複合機においては、この傾向は更に強くなる。そして、熟知したユーザや、よく使用する特定の機能を使用する場合には、操作回数の多さが煩わしいものとなっていた。
このような状況から、熟知したユーザに対して、操作回数を少なくして、所望の操作画面を表示できるように、途中の操作画面を飛ばして、ワンタッチで所望の操作画面を直接表示できるようにした画像処理装置が提案されている。
【０００４】
例えば、特許文献１に記載の画像形成装置は、ショートカットキー（ソフトキー）を複数個、ユーザ別に予め登録しておき、初期操作画面の表示時にＩＣ（Integrated Circuit）カードのタッチで個人認証をすると、ＩＣカードの複数回タッチ又はＩＣカードのタッチ時間により、認証したユーザ用の複数のショートカットキーのいずれかを選択して、途中の画面を飛ばして目的の操作画面を表示している。
また、特許文献２に記載の画像形成装置は、初期操作画面を含む各操作画面中でショートカットキー（ソフトキー）を表示して、ショートカットキーの操作で、途中の操作画面を飛ばして所望の操作画面を表示している。
【０００５】
また、特許文献１に記載の画像形成装置のように、ＩＣカードや生体認証等によるユーザ認証システムを具備することは、近年のデジタル複合機において増加しており、セキュリティの重視や、使用状況把握など機器管理体制の構築を目的として、購入の際に認証システムを導入する企業も今後益々増えると考えられる。
そして、ユーザ認証システムを用いた複合機の場合、通常、初期画面の表示時にログイン操作を行い、機能選択画面（メニュー画面）から所望の画像処理機能を選択してその初期操作画面へ移り、動作設定を行って印刷等を実行することになる。
【０００６】
図１８は、従来技術による認証機能付きの画像形成装置において、所望の画像処理機能の初期操作画面へ移行するための処理を説明するための概念図である。まず、画像形成装置９０において、ユーザがハードキー９１によりショートカットキーを押下し、その後、ＩＤカード又は指紋等による生体認証によりユーザ認証（認証ログイン）を行うと、機能選択画面９２が初期操作画面として表示されることなく、予めユーザがショートカットキーに対応するよう登録した所望の操作画面を表示させることができる。例えば、ショートカットキー０，１，２，３にそれぞれ、コピー機能、プリンタ機能、ドキュメント機能、ＦＡＸ機能を対応付けて登録しておくと、それぞれのショートカットキーの押下後にユーザ認証することで、コピー機能画面９３ａ、プリンタ機能画面９３ｂ、ドキュメント機能画面９３ｃ、ＦＡＸ機能画面９３ｄを表示することができる。ユーザは、このようにして所望の画面が表示された後、各画像処理機能に必要な設定を行い、画像処理を開始することになる。
【先行技術文献】
【特許文献】
【０００７】
【特許文献１】特開２００９−２８４２１３号公報
【特許文献２】特開２００２−３５４１７０号公報
【発明の概要】
【発明が解決しようとする課題】
【０００８】
このように、従来技術では、認証ログインの際に、操作パネル上の専用のハードキーや画面上のソフトキー等によるショートカットキーの操作によって、途中の操作画面のショートカットにより所望の操作画面が表示される。
しかしながら、その所望の操作画面が表示された後も、動作を決定して開始するまでにはいくつかの操作が必要である。従って、いつも同じ機能を選択して使用するユーザや、デフォルト設定のままで印刷できればよい場合であっても、毎回同じ操作をすることがとても面倒で、処理開始までの実行時間も長くなってしまう。
【０００９】
実際、従来のショートカットキーの操作は、特許文献２にも記載されているように、操作回数を削減するために途中の操作画面を飛ばして、所望の操作画面を直接表示できるようにしたものであり、その画面から次の動作を実行するものではない。当然、各画像処理機能の詳細設定を行う必要があればこの所望の操作画面から操作しなければならないが、デフォルト設定のまま直ぐに印刷したい場合や、サーバにファイルが一つしかない場合においても、そのファイル選択や印刷実行ボタンによって推し進めなければ動作が実行されず、面倒で時間もかかる。
【００１０】
本発明は、上述のような実状に鑑みてなされたもので、複数の画像処理機能を有し且つユーザ認証が可能な画像処理装置において、ユーザの操作回数を低減して、所望の画像処理機能の初期操作画面の表示及びその画像処理機能による画像処理を実行することを可能にすることを、その目的とする。
【課題を解決するための手段】
【００１１】
上記課題を解決するために、本発明の第１の技術手段は、複数の画像処理機能を有する画像処理装置であって、操作画面を表示可能な操作部と、ユーザ認証部と、該ユーザ認証部で認証可能なユーザ毎に、ユーザ操作の入力を経て表示される前記画像処理機能の操作画面について、該操作画面と前記ユーザ認証部でのユーザ認証処理の前又は後に入力する置数キーとを対応付けて登録する登録部と備え、前記ユーザ認証処理且つ前記置数キーの入力がなされたときに、前記操作画面、又は前記画像処理機能による画像処理を実行中若しくは実行後の画面を表示させるとともに、前記画像処理機能による画像処理を実行することを特徴としたものである。
【００１２】
第２の技術手段は、第１の技術手段において、前記置数キーの入力に引き続き、数字キーが入力されたとき、前記置数キーに対応付けられた前記画像処理機能による画像処理を該数字キーが示す繰り返し回数だけ繰り返し、前記置数キーの入力に引き続き、前記数字キーが入力されなかった場合、前記画像処理機能による画像処理を１回実行することを特徴としたものである。
【発明の効果】
【００１３】
本発明によれば、複数の画像処理機能を有し且つユーザ認証が可能な画像処理装置において、ユーザにとって不要な操作を排除することでユーザの操作回数を低減して、所望の画像処理機能の初期操作画面の表示及びその画像処理機能による画像処理を実行することが可能になり、これにより、ユーザの利便性を向上することが可能になる。
【図面の簡単な説明】
【００１４】
【図１】本発明に係る画像処理装置の一例として適用可能な画像形成装置の一構成例を示す図である。
【図２】本発明に係る画像処理装置の一例としての画像形成装置の機能構成例を示すブロック図である。
【図３】図２の画像形成装置における操作パネルの一例を示す外観図である。
【図４】図２の画像形成装置におけるユーザ認証処理を含む全体の処理例を説明するためのフロー図である。
【図５】図４の処理におけるショートカットキー登録処理の一例を説明するためのフロー図である。
【図６】図５のショートカットキー登録処理で登録されたショートカットキーとそれに対応する画像処理機能との関係の一例を示す図である。
【図７】図５のショートカットキー登録処理の開始時の具体例を示す模式図である。
【図８】図７に続く処理であって、コピー機能のショートカットキー登録処理を具体的に示す模式図である。
【図９】図７に続く処理であって、プリンタ機能のショートカットキー登録処理を具体的に示す模式図である。
【図１０】図７に続く処理であって、ＦＡＸ機能のショートカットキー登録処理を具体的に示す模式図である。
【図１１】図７に続く処理であって、ドキュメント機能のショートカットキー登録処理を具体的に示す模式図である。
【図１２】図２の画像形成装置におけるショートカットキー操作時の動作の一例を説明するためのフロー図である。
【図１３】図１２のショートカットキー操作時の動作の具体例を示す模式図である。
【図１４】図２の画像形成装置において、コピー機能の初期操作画面へ移行するための処理を説明するための概念図である。
【図１５】図２の画像形成装置において、プリンタ機能の初期操作画面へ移行するための処理を説明するための概念図である。
【図１６】図２の画像形成装置において、ドキュメント機能の初期操作画面へ移行するための処理を説明するための概念図である。
【図１７】図２の画像形成装置において、ＦＡＸ機能の初期操作画面へ移行するための処理を説明するための概念図である。
【図１８】従来技術による認証機能付きの画像形成装置において、所望の画像処理機能の初期操作画面へ移行するための処理を説明するための概念図である。
【発明を実施するための形態】
【００１５】
以下、本発明に係る画像処理装置は、複数の画像処理機能を有する装置であり、以下、画像形成装置を例にして説明する。画像形成装置としては、所謂、デジタル複合機（ＭＦＰ）が挙げられるが、少なくとも２つの画像処理機能をもっていればよい。また、本発明に係る画像処理装置としては、画像形成装置に限らず、複数種類の方法で画像処理を行う画像処理装置であってもよい。例えば、汎用コンピュータとスキャナとを備え、カラー画像読取処理とモノクロ画像読取処理の２つの方法で画像処理が可能なシステムなども、本発明に係る画像処理装置として適用できる。
【００１６】
図１は、本発明に係る画像処理装置の一例として適用可能な画像形成装置の一構成例を示す図で、図中、１は画像形成装置を示す。図１で例示する画像形成装置１は、デジタルカラー型の画像形成装置であり、大きく分けて、画像読取部１００と、画像形成部２００とを含んで構成されている。
【００１７】
画像読取部１００は、原稿台１０５と、光学系のスキャナ部１２０と、両面自動原稿送り装置（ＲＡＤＦ）１３０とを備えている。原稿台１０５には、読み取られる原稿が載置される。スキャナ部１２０は、原稿台１０５の下方に配置されており、原稿台１０５に載置された原稿の画像を読み取る。ＲＡＤＦ１３０は、原稿台１０５の上側に配置されており、読み取るべき原稿を原稿台１０５に順次搬送する。
【００１８】
スキャナ部１２０は、更に、第１走査ユニット１２２と、第２走査ユニット１２４と、光学レンズ１２６と、ＣＣＤ（Charge Coupled Device）ラインセンサ１２８とを備えて構成される。第１走査ユニット１２２は、原稿台１０５の下面に沿って往復移動する。このとき、第１走査ユニット１２２は、原稿台１０５の下面に対して一定の距離を保ちながら所定の走査速度で移動する。第１走査ユニット１２２は、原稿画像表面を露光する露光ランプと、原稿からの反射光像を所定の方向に向かって偏光する第１ミラーとを備えている。
【００１９】
第２走査ユニット１２４は、第１走査ユニット１２２における第１のミラーによって偏光された原稿からの反射光像をＣＣＤラインセンサ１２８の方向に導くための第２ミラー及び第３ミラーを備えている。光学レンズ１２６は、第２走査ユニット１２４における第２レンズおよび第３レンズにより偏光された原稿からの反射光像を縮小し、縮小された光像をＣＣＤラインセンサ１２８上の所定位置に結像させる。
【００２０】
ＣＣＤラインセンサ１２８は、結像された光像を順次光電変換して電気信号として出力する。ＣＣＤラインセンサ１２８は、白黒画像あるいはカラー画像を読み取り、Ｒ（赤），Ｇ（緑），Ｂ（青）の各色成分に色分解したラインデータを出力することのできる３ラインのカラーＣＣＤである。このＣＣＤラインセンサ１２８により電気信号に変換された読取画像データは、さらに、後述する画像処理部１５０（図２）に転送されて所定手順で画像処理が施される。
【００２１】
画像形成部２００は、大別すると、給紙部、画像生成部、排紙部によって構成される。給紙部には給紙カセット２１１及び手差しトレイ２５０が設けられる。なお、図１では１つの給紙カセット２１１を図示しているが複数であってもよい。この給紙カセット２１１から画像生成部を経由して排紙部までの間に用紙搬送路が形成される。用紙搬送路は、搬送ローラ２５１の動作により形成され、用紙Ｐは、転写搬送ベルト機構２１３に運ばれる。ここで、用紙搬送路における給紙カセット２１１の下流側であって画像形成部の上流側には一対のレジストローラ２１２が配設される。レジストローラ２１２は、画像生成部（転送搬送ベルト機構２１３）に用紙Ｐを導くタイミングを調整する。
【００２２】
また、用紙Ｐは、手差しトレイ２５０から給紙される場合もある。手差しトレイ２５０に載置された用紙Ｐは、搬送ローラ２５１により転写搬送ベルト機構２１３に運ばれる。ここで、手差しトレイ２５０には、用紙の有無を検出する用紙センサ４００が設けられている。用紙センサ４００は、手差しトレイ２５０に載置された用紙の有無及び用紙の長さを検出し、定型の用紙サイズ検出に用いられる。なお、用紙Ｐを手差し用紙として給紙する方法として手差しトレイ２５０を利用する場合について説明したが、給紙カセット２１１を利用した場合でも同様であることは勿論である。
【００２３】
画像生成部は、４つの画像形成ステーションＰａ、Ｐｂ、Ｐｃ、Ｐｄと、用紙搬送路を挟んで画像形成ステーションＰａ、Ｐｂ、Ｐｃ、Ｐｄの反対側に配設される転写搬送ベルト機構２１３を備えている。
【００２４】
画像形成ステーションＰａ、Ｐｂ、Ｐｃ、Ｐｄは、それぞれ実質的に同一の構造をしている。画像形成ステーションＰａ、Ｐｂ、Ｐｃ、Ｐｄは、像担持体としての感光体ドラム２２２ａ〜２２２ｄを備えている。また、感光体ドラム２２２ａ〜２２２ｄの周辺に帯電器２２３ａ〜２２３ｄ、レーザビームスキャンユニット２２７ａ〜２２７ｄ、現像装置２２４ａ〜２２４ｄ、転写用放電器２２５ａ〜２２５ｄ、およびクリーニング装置２２６ａ〜２２６ｄが配設される。
【００２５】
帯電器２２３ａ〜２２３ｄは、感光体ドラム２２２ａ〜２２２ｄの周面を一様に帯電する。レーザビームスキャンユニット２２７ａ〜２２７ｄは、ポリゴンミラー２４０ａ〜２４０ｄ、ｆθレンズ２４１ａ〜２４１ｄ、ミラー２４２ａ〜２４２ｄ、ミラー２４３ａ〜２４３ｄを備えている。レーザビームスキャンユニット２２７ａ〜２２７ｄは、画像読取部１００から入力される画像データに基づいて、感光体ドラム２２２ａ〜２２２ｄの周面に静電潜像を形成する。現像装置２２４ａ〜２２４ｄは、感光体ドラム２２２ａ〜２２２ｄの周面に形成された静電潜像に現像剤を供給して現像剤像を形成する。転写用放電器２２５ａ〜２２５ｄは、感光体ドラム２２２ａ〜２２２ｄの周面に形成された現像剤像を用紙搬送路上の用紙Ｐに転写させる。クリーニング装置２２６ａ〜２２６ｄは、感光体ドラム２２２ａ〜２２２ｄ上に残留する現像剤を除去する。
【００２６】
転写搬送ベルト機構２１３は、駆動ローラ２１４、従動ローラ２１５、およびこれらのローラを含む複数のローラに張架された転写搬送ベルト２１６を備えている。転写搬送ベルト機構２１３は、図中の反時計方向に回転する転写搬送ベルト２１６に用紙Ｐを静電吸着させつつ、用紙搬送路の下流側に用紙Ｐを導く。
【００２７】
用紙搬送路における転写搬送ベルト機構２１３の下流側には、定着装置２１７、切り換えゲート２１８、および排紙ローラ２１９が配設されている。定着装置２１７は、用紙Ｐに付着して未定着の現像剤像を用紙Ｐに定着させる。切り換えゲート２１８は、用紙Ｐの搬送方向を切り換える。具体的には、切り換えゲート２１８は、用紙搬送路を搬送される用紙Ｐを排紙ローラ２１９またはスイッチバック搬送路２２１のいずれかに選択的に切り換える。排紙ローラ２１９は、画像形成装置１の外部に用紙Ｐを排出する。なお、画像形成装置１の外側には、排紙ローラ２１９から排出される用紙Ｐを収容するための排紙トレイ２２０が配設されている。
【００２８】
図２は、本発明に係る画像形成装置の機能構成例を示すブロック図で、図１の画像形成装置の機能構成例を示すブロック図でもある。また、図３は、図２の画像形成装置における操作パネルの一例を示す外観図である。図２で例示する画像形成装置１は、図１で例示した画像読取部１００及び画像形成部２００の他に、操作パネル４０を備え、さらにＣＰＵ１０、ＲＯＭ１１、ＲＡＭ１２、記憶部１３、認証部１４、通信部１５、及びネットワークＩ／Ｆ１７を備えている。ＩＣカード１６はユーザ認証用に管理者が用意し、ユーザが保持しておく。
【００２９】
ＣＰＵ１０は、ＲＯＭ１１に記憶されている各種プログラムやデータを読み出して実行することにより、各機能を実現するための制御部の一例である。なお、ＣＰＵ１０は、各種機能をプログラムにより実現することが可能であり、例えば、後述する画像処理部１５０の機能をＣＰＵ１０が実現することとしてもよい。ＲＯＭ１１は、このように、画像形成装置１の動作に必要なプログラムやデータを格納している。また、ＲＡＭ１２は、一次的に画像データ等を蓄えておく揮発性のメモリであり、例えば画像読取部１００において
読み取られた画像はＲＡＭ１２に出力され記憶されることとなる。また、記憶部１３は、ＨＤＤ（ハードディスクドライブ）や他の不揮発性メモリで構成され、本発明に係る後述の認証用データや登録データを記憶する。
【００３０】
画像読取部１００は、画像処理部１５０に、スキャナ部１２０と、画像記憶部１６０と、画像読取制御部１７０とが接続されている。スキャナ部１２０により読み取られた画像データは、画像処理部１５０において処理され、画像記憶部１６０に一時的に記憶される。そして、原稿の読み取りを完了したら、ＲＡＭ１２に出力する。画像記憶部１６０は、ＨＤＤなどで構成され、この画像記憶部１６０に画像データがファイリングされる。また、スキャナ部１２０、画像処理部１５０、及び画像記憶部１６０は、画像読取制御部１７０により制御されて機能する。また、画像形成部２００は、読み取られた画像データの画像を形成して出力する。画像形成部２００により、読み取られた画像データが、用紙Ｐに印刷され画像形成装置１から出力されることとなる。
【００３１】
操作パネル４０は、表示部５０及び操作部６０を備えて構成されており、ユーザが画像形成装置１の操作を行う場合に利用される。表示部５０は、利用者に対して必要な表示を行うことが可能であり、例えばＬＣＤ（Liquid Crystal Display）等により構成されている。なお、図３では、表示部５０における表示画面として、コピー機能の初期操作画面を例示している。また、操作部６０は、ユーザからのコマンドや設定等の入力を受け付け、例えば各種操作ボタンや、表示部５０に設けたタッチパネル等により構成されている。タッチパネルの他、操作部６０は、図３で例示するように、プリンタ機能、ファックス／イメージ送信機能、コピー機能などを選択するための機能選択ボタン６１と、画像データにアクセスするためのファイリングボタン６２と、数字ボタンからなるテンキー群６３と、全解除ボタン６４と、カラーコピースタートボタン６５と、白黒コピースタートボタン６６とを有する。
【００３２】
通信部１５は、所謂、カードリーダとして構成されたものであり、認証部１４とのやり取りによりユーザ認証を行う。ＩＣカード１６にはアンテナとＩＣチップと電源部とが具備されている。カードリーダは、ＩＣカード１６が近接した際に、搭載されたアンテナによりＩＣカード１６側のアンテナと無線通信を行って、ＩＣチップ内のＩＤやパスワード等の認証情報を読み取って解析し、認証部１４へ渡す。認証部１４は、予め登録されている認証用データと通信部１５から得た認証情報とを照合することでユーザ認証処理を行う。照合が成功すれば認証成功となり、画像形成装置１の利用を許可すべき旨の信号と、例えば一致したＩＤ等の利用者を特定する情報とを、ＣＰＵ１０に向けて送信する。照合が失敗すれば認証失敗となり、失敗した旨の情報をＣＰＵ１０に向けて送信する。認証結果は、ＣＰＵ１０からの指示に基づき操作パネル４０の表示部５０に表示される。
【００３３】
また、上述の認証用データとしては、例えばユーザ名、ＩＤコード（ユーザＩＤに相当）、パスワード、ユーザが所属するグループ名（グループＩＤに相当）、電子メールアドレス、携帯電話番号などを、好ましくはテーブル形式で登録しておくとよい。無論、単にユーザ名又はＩＤとパスワードだけを認証用データとして格納しておいてもよい。登録先は、この例では記憶部１３とする。また、認証部１４は、ＩＣカード１６によるユーザ認証処理を行うに限ったものではなく、単にユーザＩＤ（及びパスワード）の入力を操作部６０から受け付け、そこで入力された情報を元に記憶部１３内の認証用データと照合してもよい。特に、記憶部１３において、この認証用データは登録データと関連付けて記憶させておくことが好ましい。後述するが、登録データとは、例えばユーザ毎にショートカットキーの処理内容を登録したデータを指す。
【００３４】
ネットワークＩ／Ｆ１７は、ユーザが使用するＰＣ（パーソナルコンピュータ）やサーバなどの情報処理装置と、ＬＡＮ（Local Area Network）などの通信回線を介して接続するための通信インターフェースである。また、ＦＡＸ通信部１８は、ファクシミリ回線を介して他のファクシミリ装置とファクシミリ通信を行うインターフェースである。
【００３５】
本発明に係る画像形成装置１は、通信部１５、認証部１４、記憶部１３内の認証用データで例示したように、ユーザ認証処理を行うユーザ認証部を備えるとともに、操作パネル４０（表示部５０と操作部６０）で例示したように、操作画面を表示可能な操作部（操作部６０だけではなく操作パネル４０に相当する操作装置）を備える。
【００３６】
さらに、本発明に係る画像形成装置１は、その主たる特徴として、次の登録部を備える。この登録部は、ユーザ認証部で認証可能なユーザ毎に、操作画面の表示がなされた状態でのユーザ操作の入力を経て表示される画像処理機能の操作画面（例えば画像処理機能の初期操作画面）について、その操作画面とユーザ認証部でのユーザ認証処理の前（又は後）に入力する置数キーとを対応付けて登録する。この登録部は、その登録に関する情報の入力を行う操作パネル４０と、登録先の例である記憶部１３と、それらの制御を行うＣＰＵ１０とで例示できる。
【００３７】
また、記憶部１３に登録されるデータ（登録データ）は、上述のように、操作画面と置数キーとを対応付けたデータとなるが、操作画面とは画面の画像データそのものである必要はなく、画像データの保存先を示すデータなど、対応する画面の画像データを読み出せるデータであればよい。また、登録は後述するようにユーザ認証処理後に行うため、登録データもユーザ毎に格納される。また、置数キーとは、操作部６０（タッチパネルも含む）として設けられているハードウェアキー及び／又はソフトウェアキーのいずれか１又は複数のキーでなるが、１回の操作で可能なように１つのキーであることが好ましい。また、置数キーがユーザ認証処理の前に入力されるものであるのか、若しくは後で入力されるものであるのかも、登録データとして記憶しておく必要がある。
【００３８】
そして、画像形成装置１におけるＣＰＵ１０は、ユーザ認証処理の前に置数キーが入力され且つユーザ認証処理が施されたときに、操作画面、又は画像処理機能による画像処理を実行中若しくは実行後の画面を表示させるとともに、その操作画面に相当する画像処理機能による画像処理を実行する。若しくは、ＣＰＵ１０は、ユーザ認証処理の後に置数キーが入力されたときに、操作画面を表示させるとともにその操作画面に対応の画像処理機能による画像処理を実行する。ここで実行される画像処理は、例えばその操作画面において、通常時に実行キーやスタートキーを押下したときに実行される処理を指し、例えばコピー機能の初期操作画面を表示させるとともにコピー処理を実行する。
【００３９】
このように、本発明では、操作画面を表示させる際に、ユーザ認証処理と操作パネル上の置数キー（ハードウェアキーやソフトウェアキー）の操作とにより、途中の操作画面を飛ばして、置数キーに対応付けたユーザ所望の操作画面を表示すると共に、所望操作画面での次の動作の実行を行う。プリント機能（又はプリント機能におけるデータ削除機能）での例を挙げると、プリンタ機能を用いてサーバ上に置いてあるデータを直ぐに印刷（又は削除）したい場合には、対応付けた置数キーによるショートカットキーを用いてログインするだけで印刷（又は削除）が実行されるので、操作回数の削減と実行までに要する時間の短縮を図ることができる。すなわち、本発明によれば、複数の画像処理機能を有し且つユーザ認証が可能な画像処理装置において、ユーザにとって不要な操作を排除することでユーザの操作回数を低減して、所望の画像処理機能の操作画面の表示及びその画像処理機能による画像処理を実行することが可能になり、これにより、ユーザの利便性を向上することが可能になる。
【００４０】
以下、本発明における、具体的な置数キーによるショートカットキーの登録処理、並びに登録後の操作画面の表示及び対応動作実行の処理について説明する。
まず、図４のフロー図を参照しながら、図２の画像形成装置におけるユーザ認証処理を含む全体の処理例を説明する。
【００４１】
画像形成装置１のＣＰＵ１０は、操作部６０における例えばテンキー群６３のクリアキー（Ｃ）を押下しながら認証システムによってログインして、ショートカットキーの登録画面へ移るようにしておく。このようなルールに基づき、まずＣＰＵ１０はユーザ認証処理が認証部１４でなされたか否かを判定し（ステップＳ１）、なければステップＳ１へ戻りユーザ認証処理を待つ。一方、ユーザ認証処理がなされた場合（ステップＳ１でＹＥＳの場合）、ＣＰＵ１０は、クリアキーが押下された状態でのユーザ認証処理であるか否かを判定する（ステップＳ２）。ステップＳ２でＹＥＳの場合、上述したルールに従い、ショートカットキー登録処理に移行する（ステップＳ３）。ショートカットキー登録処理後は、直ぐに又は所定時間経過後にステップＳ１へ戻る。
【００４２】
一方、ステップＳ２でＮＯの場合、ＣＰＵ１０は操作部６０において置数キーが操作されたか否かを判定し（ステップＳ４）、操作された場合には登録されているショートカットに対応した動作（ショートカットキー対応処理）を行う（ステップＳ５）。ショートカットキーの動作の処理後は、直ぐに又は所定時間経過後にステップＳ１へ戻る。ステップＳ４でＮＯの場合、ＣＰＵ１０は、表示部５０に表示させるユーザインターフェース画面における階層のトップ画面（例えば画像処理機能の選択画面であるメニュー画面など）を、表示部５０に表示させる（ステップＳ６）。その後、通常の画面処理へ移行する（ステップＳ７）。なお、ステップＳ３やステップＳ５の処理後に、所定時間経過を待つような処理を採用する場合にも、ステップＳ７のように通常の画面処理へ移行した状態で待つようにすればよい。
【００４３】
次に、図４の処理におけるショートカットキーの登録処理（ステップＳ３）について、図５〜図１１を参照しながら説明する。ショートカットキー登録処理は上述した登録部により、より具体的には例えばＣＰＵ１０からの制御により操作部６０での入力受付や表示部５０での表示を行いながら実行される。以下、説明の簡略化のため個々の処理についての主体はしばしば省略する。
【００４４】
図５は、図４の処理におけるショートカットキー登録処理の一例を説明するためのフロー図で、図６は、図５のショートカットキー登録処理で登録されたショートカットキーとそれに対応する画像処理機能との関係の一例を示す図である。また、図７は、図５のショートカットキー登録処理の開始時の具体例を示す模式図である。また、図８〜図１１は、いずれも図７に続く処理であって、画像処理機能のショートカットキー登録処理を具体的に示す模式図である。図８、図９、図１０、図１１は、画像処理機能としてそれぞれコピー機能、プリンタ機能、ＦＡＸ機能、ドキュメント機能のショートカットキー登録処理を具体的に示す模式図である。
【００４５】
ショートカットキー登録処理は、まず上述したようにクリアキーを押下しながら、ＩＤカード（例えばＩＣカードや磁気カード）によりユーザ認証処理を行うことで開始される。具体的な画面例を挙げると、図７の画面５０のように「ＩＤカードをタッチしてください」などと認証を促す表示を行うとともに、「（Ｃ）を押しながらログインするとショートカットキー登録画面へ移動します」などと登録方法を説明する表示も行っている。なお、画面５０では、入力値の入力欄も用意されているが、この入力欄は登録後のショートカットキーの動作実行時に用いるものであり、その説明は後で行う。
【００４６】
画面５０を表示した状態でクリアキー押下且つユーザ認証処理により、画面５１に移行する。画面５１には登録キー５１ａ、一括解除キー５１ｂ、及び終了キー５１ｃが選択可能に表示されている。まず、終了キー５１ｃが押下されたか否かを判定し（ステップＳ１１）、押下された場合にはログアウトする（ステップＳ１２）。押下されなかった場合、登録キー５１ａが押下されたか否かを判定する（ステップＳ１３）。ステップＳ１３でＮＯの場合、一括解除キー５１ｂが押下されたか否かを判定し（ステップＳ２６）、押下された場合に画面５２の一括解除画面を表示する（ステップＳ２７）。画面５２にはユーザへの確認のために一括解除実行キー５２ａが選択可能に表示されている。ここで、一括解除実行キー５２ａが押下されたか否かを判定し（ステップＳ２８）、押下された場合に登録されているそのユーザのショートカットキーを一括解除し（ステップＳ２９）、ショートカット登録処理を終了する。ステップＳ２９ではそのユーザに関する登録データを消去すればよい。これにより、そのユーザの登録済みのショートカットキーが全て解除され、ショートカットキーでのログインは実行できなくなる。また、ステップＳ２６でＮＯの場合やステップＳ２８でＮＯの場合にはステップＳ１１へ戻る。
【００４７】
一方、ステップＳ１３でＹＥＳの場合（登録キーが押下された場合）、ショートカットキー登録処理になる。このショートカットキー登録処理では例えば図６の登録機能一覧１３ａに例示するように一つ目、二つ目のショートカットキーの登録を行う。一つ目のキーでは画像処理機能の種類を、二つ目のキーではその設定内容を、それぞれ登録する。なお、ショートカットキー押下時の動作について後述するが、例えばコピー機能やプリンタ機能の場合、三つ目のキーとして「印刷部数」を自動的に割り当てておくことで、登録後のショートカットキーの押下時には三つ目のキーで実際に入力された印刷部数を印刷すればよい。無論、実際の印刷部数を割り当てておいてもよいが、その時々で印刷したい部数は変わるため単に「印刷部数を示す」ことだけを割り当てておくことが好ましい。
【００４８】
従って、ステップＳ１３でＹＥＳの場合には、まず一つ目のショートカットキー登録画面（Ａ画面と呼ぶ）の表示を行ってその一つ目のショートカットキー登録処理を開始する（ステップＳ１４）。Ａ画面としては、例えば図８〜図１１のそれぞれで例示するようなＡ画面５３が挙げられる。Ａ画面５３には、番号タブ（番号キー）５３ｂと、複合機の主要な機能（コピー、プリンタ、ドキュメント（Ｅ−ｍａｉｌ送信、ＵＳＢ保存、ＨＤＤ保存）、ＦＡＸ）のキー群５３ａが選択可能に表示され、ここでまず、一つ目のキーにどの機能を対応付けるかを設定することになる。また、図８〜図１１のＡ画面５３には、その他、戻るキー５３ｄ、終了キー５３ｅ、及び進むキー５３ｃが選択可能に表示されている。
【００４９】
ステップＳ１４に続き、番号キー５３ｂが押下されたか否かを判定し（ステップＳ１５）、押下されたときにはじめて次に進み、機能のキー群５３ａが押下されたか否かを判定する（ステップＳ１６）。ステップＳ１６でＮＯの場合、ステップＳ１５へ戻り、押下された場合には、進むキー５３ｃが押下されたか否かを判定する（ステップＳ１７）。例えばステップＳ１５，Ｓ１６などの順序は問わない。ステップＳ１７でＮＯの場合、戻るキー５３ｄが押下されたか否かを判定する（ステップＳ１８）。ステップＳ１８でＮＯの場合には、ステップＳ１５へ戻る。ステップＳ１８でＹＥＳの場合、ステップＳ１１へ戻り、終了キー（ここでは、終了キー５３ｅ）の押下を待ち、押下された段階でログアウトする（ステップＳ１２）。
【００５０】
そして、ステップＳ１７でＹＥＳの場合には、二つ目のショートカットキー登録画面（Ｂ画面と呼ぶ）の表示を行ってその二つ目のショートカットキー登録処理を開始する（ステップＳ１９）。Ｂ画面としては、例えば図８〜図１１のそれぞれで例示するような画面５４が挙げられる。Ｂ画面５４には、番号キー５３ｂで選択済みの番号を示すタブ（例えば図８の番号５４ａａ等が並ぶタブ）と、ボックス５４ａとが表示されている。ボックス５４ａには、選択済みの機能（コピー、プリンタ、ドキュメント（Ｅ−ｍａｉｌ送信、ＵＳＢ保存、ＨＤＤ保存）、ＦＡＸのいずれか）に対応する更なる機能（例えば設定項目）のキー群５４ｂと、それに対応付けるための番号タブ５４ｃが選択可能に表示され、ここで、二つ目のキーにどの機能を対応付けるかを設定することになる。また、図８〜図１１のＢ画面５４には、その他、戻るキー５４ｅ、詳細キー５４ｆ、及び登録キー５４ｄが選択可能に表示されている。
【００５１】
ステップＳ１９に続き、番号キー５４ｃが押下されたか否かを判定し（ステップＳ２０）、押下されたときにはじめて次に進み、機能のキー群５４ｂが押下されたか否かを判定する（ステップＳ２１）。ステップＳ２１でＮＯの場合、ステップＳ２０へ戻り、押下された場合には、詳細キー５４ｆが押下されたか否かを判定する（ステップＳ２２）。例えばステップＳ２０，Ｓ２１などの順序は問わない。ステップＳ２２でＮＯの場合、登録キー５４ｄが押下されたか否かを判定し（ステップＳ２４）、押下された場合、登録データの一部として書き込むことで、この処理を終了する。ステップＳ２４でＮＯの場合には、戻るキー５４ｅが押下されたか否かを判定し（ステップＳ２５）、ＹＥＳの場合にはステップＳ１５へ戻り、ＮＯの場合にはステップＳ２０へ戻る。また、ステップＳ２２でＹＥＳの場合、詳細画面を表示して設定を実施してから（ステップＳ２３）、ステップＳ２４へ進む。ステップＳ２３の詳細画面とは、更なる詳細な設定が必要な場合に表示させる画面であり、ユーザはそこで詳細な設定を行ってから、Ｂ画面５４へ戻る。
【００５２】
以上のような処理手順に基づき、ユーザはショートカットキーの登録処理を行うことになる。コピー機能についての登録処理を行う場合、図８に例示するようになる。図８のＡ画面５３の場合、「０」を示すキー５３ｂａとコピーを示すキー５３ａａとが選択され対応付けられる状態を示している。ユーザはこのようにして一つ目の対応付けを決めた後、進むキー５３ｃを押下してＢ画面５４を表示させる。Ｂ画面５４において、ユーザは二つ目のキーの対応付けを行う。この例では、番号キー５４ｃの中から「１」を示すキー５４ｃｂが選択され、それに対応付ける機能（設定項目、この例では色選択）として、カラーキー５４ｂａ及びモノクロキー５４ｂｂを有する機能のキー群５４ｂからカラーキー５４ｂａが選択されている状態を示している。なお、Ｂ画面５４では、キー５３ｂａに対応するキー５４ａａも表示されている。その際、機能によっては、詳細キー５４ｆを用いて用紙選択や倍率などの詳細機能を対応付けてもよい。最後に登録ボタン５４ｄを押下すると、Ａ画面５３に戻り、そのショートカットキーについての登録は完了となる。また、以下では特に説明しないが、Ａ画面５３やＢ画面５４や後述のＣ画面において、例えば番号キー５３ｂのうちの選択中の番号タブや機能群キー５３ａのうちの選択中のキーは、もう一度押下されることで選択解除され、また他のキーが選択されること（例えば図８の番号キー５３ｂの例では「８」を示すタブなど）でも選択済みの部分が選択解除されるものとする。
【００５３】
図８の例では、「０１」がコピー機能で且つカラーコピーを実行するためのショートカットキーとして登録される。なお、Ｂ画面５４において何も選択しない状態で登録キー５４ｄが押下された場合には、色選択を自動で判断するとして、例えばＰＣ上の色設定をそのまま出力すればよい。一方で、モノクロ印刷の場合には、ＰＣ上でカラーの場合でも強制的にモノクロ出力する。上述したように最後に登録ボタン５４ｄを押下すると、Ａ画面５３に戻り、そのショートカットキーについての登録は完了となるが、別のショートカットキーの登録は引き続き同様に行うことができる。但し、同じ番号（この例では一つ目の０番）に別の機能（コピー機能以外）を重複して対応付けることはできないものとする。そして、このようにしてそれぞれの機能を対応付けて登録した後、最後にＡ画面５３に戻って終了キー５３ｅを押下してログアウトする。
【００５４】
プリンタ機能についての登録処理を行う場合、図９に例示するようになる。図９のＡ画面５３の場合、「１」を示すキー５３ｂｂとプリンタを示すキー５３ａｂとが選択され対応付けられる状態を示している。ユーザはこのようにして一つ目の対応付けを決めた後、進むキー５３ｃを押下してＢ画面５４を表示させる。Ｂ画面５４において、ユーザは二つ目のキーの対応付けを行う。この例では、番号キー５４ｃの中から「０」を示すキー５４ｃａが選択され、それに対応付ける機能（設定項目、この例ではどのような処理を行うか）として、開始キー５４ｇａ、自動キー５４ｇｂ、及びモノクロキー５４ｇｂを有する機能のキー群５４ｇから開始キー５４ｇａが選択されている状態を示している。なお、Ｂ画面５４では、キー５３ｂｂに対応するキー５４ａｂも表示されている。その際、機能によっては、詳細キー５４ｆを用いて用紙選択や倍率などの詳細機能を対応付けてもよい。最後に登録ボタン５４ｄを押下すると、Ａ画面５３に戻り、そのショートカットキーについての登録は完了となる。
【００５５】
図９の例では、「１０」がプリント機能で且つ開始（そのまま動作開始）を実行するためのショートカットキーとして登録される。なお、自動キー５４ｇｂが選択されていた場合にはモノクロ／カラーを自動選択して動作を実行するものとし、モノクロキー５４ｇｃが選択されていた場合には強制的にモノクロ印刷を行うものとする。Ｂ画面５４において何も選択しない状態で登録キー５４ｄが押下された場合には、例えば開始キー５４ｇａが選択されたものとして取り扱ってもよい。上述したように最後に登録ボタン５４ｄを押下すると、Ａ画面５３に戻り、そのショートカットキーについての登録は完了となるが、別のショートカットキーの登録は引き続き同様に行うことができる。但し、同じ番号（この例では一つ目の１番）に別の機能（プリンタ機能以外）を重複して対応付けることはできないものとする。そして、このようにしてそれぞれの機能を対応付けて登録した後、最後にＡ画面５３に戻って終了キー５３ｅを押下してログアウトする。
【００５６】
ＦＡＸ機能についての登録処理を行う場合、図１０に例示するようになる。図１０のＡ画面５３の場合、「５」を示すキー５３ｂｆとＦＡＸを示すキー５３ａｃとが選択され対応付けられる状態を示している。ユーザはこのようにして一つ目の対応付けを決めた後、進むキー５３ｃを押下してＢ画面５４を表示させる。Ｂ画面５４において、ユーザは二つ目のキーの対応付けを行う。この例では、番号キー５４ｃの中から「０」を示すキー５４ｃａが選択され、それに対応付ける機能（設定項目、この例ではＦＡＸ番号）の入力欄５４ｈに「０１２３４５６７８９」と入力されている状態を示している。なお、Ｂ画面５４では、キー５３ｂｆに対応するキー５４ａｆも表示されている。なお、ＦＡＸ機能については、詳細設定を行わないものとして、詳細キーを設けていない例を挙げている。最後に登録ボタン５４ｄを押下すると、Ａ画面５３に戻り、そのショートカットキーについての登録は完了となる。
【００５７】
図１０の例では、「５０」がＦＡＸ機能で且つＦＡＸ番号「０１２３４５６７８９」へ通信を実行するためのショートカットキーとして登録される。つまり、このＦＡＸ番号へのワンタッチダイヤルが設定でき、番号キー５４ｃの例では１０個の数字があるため、１０個のワンタッチダイヤルでのＦＡＸ処理が登録できる。Ｂ画面５４において何も選択しない状態で登録キー５４ｄが押下された場合には、例えばＦＡＸ番号入力状態で且つオンフックの状態で待つように取り扱うなどすればよい。上述したように最後に登録ボタン５４ｄを押下すると、Ａ画面５３に戻り、そのショートカットキーについての登録は完了となるが、別のショートカットキーの登録は引き続き同様に行うことができる。但し、同じ番号（この例では一つ目の５番）に別の機能（ＦＡＸ機能以外）を重複して対応付けることはできないものとする。そして、このようにしてそれぞれの機能を対応付けて登録した後、最後にＡ画面５３に戻って終了キー５３ｅを押下してログアウトする。
【００５８】
ドキュメント機能（原稿の電子ファイル送信）についての登録処理を行う場合、図１１に例示するようになる。図１１のＡ画面５３の場合、「２」を示すキー５３ｂｃとドキュメント（Ｅ−ｍａｉｌ）を示すキー５３ａｄとが選択され対応付けられる状態を示している。ユーザはこのようにして一つ目の対応付けを決めた後、進むキー５３ｃを押下してＣ画面５５を表示させる。Ｃ画面５５において、ユーザは電子メールの送信先の登録を行う。そのため、Ｃ画面５５には、番号キー５５ｂとともに電子メールアドレス入力ボックス５５ａが設けられている。この例では、番号キー５５ｂの中から「１」を示すキー５５ｂｂが選択され、入力欄５４ａａに「××××＠ａａａａａ．ｃｏ．ｊｐ」が入力されている状態を示している。なお、ａｂｃキー表示キー５５ａｂは入力欄５５ａａにアドレスを入力するためのキーボードを表示させるためのキーである。また、Ｃ画面５５には、Ａ画面５３へ戻るための戻るキー５５ｅ、ａｂｃキー表示キー５５ａｂでの代替入力手段ともなる宛先一覧を表示させるための宛先一覧キー５５ｄ、次のＢ画面へ進むための進むキー５５ｃも選択可能に表示されている。宛先一覧キー５５ｄを選択することで、ユーザは宛先一覧の中から入力欄５４ａａに入力すべきアドレスを選択することができる。ユーザは、進むキー５５ｃを押下してＢ画面５４を表示させる。
【００５９】
Ｂ画面５４において、ユーザは二つ目のキーの対応付けを行う。この例では、番号キー５４ｃの中から「１」を示すキー５４ｃｂが選択され、それに対応付ける機能（設定項目、この例では色選択）として、カラーキー５４ｊａ及びモノクロキー５４ｊｂを有する機能のキー群５４ｊからカラーキー５４ｊａが選択されている状態を示している。なお、Ｂ画面５４では、キー５３ｂｃに対応するキー５４ａｃも表示されている。その際、機能によっては、詳細キー５４ｆを用いて、解像度、ファイル形式、暗号化実行、重要マークの付加などの詳細機能を対応付けてもよい。なお、ドキュメント（Ｅ−ｍａｉｌ）機能については、詳細設定を行わないようにしてもよい。最後に登録ボタン５４ｄを押下すると、Ａ画面５３に戻り、そのショートカットキーについての登録は完了となる。
【００６０】
図１１の例では、「２１」が、スキャンされたドキュメントファイルについて、電子メール送信機能で且つアドレス「××××＠ａａａａａ．ｃｏ．ｊｐ」へ電子メールを送信するためのショートカットキーとして登録される。つまり、この電子メールアドレスへのワンタッチ送信が設定できる。このようなショートカットキーを用いたスキャン後の電子メール送信機能は、操作者自身の電子メールアドレスへの送信時に使用されることが想定されるため、基本的には電子メールの送信先は１つ登録できればよい。但し、操作者自身の電子メールアドレスを複数使用している場合も考えられるため、番号キー５５ｂの例のように１０個の数字を設け、１０個のワンタッチ送信での電子メール送信処理が登録できるようにしてもよい。このとき宛先が複数であるため、図１１の例の場合にはショートカットキー「２１１」が登録される。Ｃ画面５５において何も選択しない状態で進むキー５５ｃが押下された場合には、例えば電子メールアドレス入力状態で且つメーラーソフトを開いた状態で待つように取り扱うなどすればよい。
【００６１】
上述したように最後に登録ボタン５４ｄを押下すると、Ａ画面５３に戻り、そのショートカットキーについての登録は完了となるが、別のショートカットキーの登録は引き続き同様に行うことができる。但し、同じ番号（この例では一つ目の２番）に別の機能（ドキュメント電子メール送信機能以外）を重複して対応付けることはできないものとする。そして、このようにしてそれぞれの機能を対応付けて登録した後、最後にＡ画面５３に戻って終了キー５３ｅを押下してログアウトする。
【００６２】
また、その他、Ａ画面５３において、番号キー５３ｂのうち「３」を示すタブにドキュメント（ＵＳＢ保存）を対応付けて進むキー５３ｃを押下した場合、次に二つ目の番号タブと、色選択（カラー、モノクロ）が表示（Ｂ画面）され、二つ目の番号タブに、どちらを対応付けるか設定できる。ＵＳＢ保存とは、差し込まれたＵＳＢメモリに画像読取したファイルを所定の形式でファイリングすることを指す。また、Ａ画面５３において、番号キー５３ｂのうち「４」を示すタブにドキュメント（ＨＤＤ保存）を対応付けて進むキー５３ｃを押下した場合、次に二つ目の番号タブと、色選択（カラー、モノクロ）が表示（Ｂ画面）され、二つ目の番号タブに、どちらを対応付けるか設定できる。ＨＤＤ保存とは、ＨＤＤの所定のフォルダに画像読取したファイルを所定の形式でファイリングすることを指す。
【００６３】
次に、図４の処理におけるショートカットキーに対応した動作（ショートカットキー対応処理（ステップＳ５）について、図１２〜図１７を参照しながら説明する。ショートカットキー対応処理は上述したように、例えば主にＣＰＵ１０からの制御により操作部６０での入力受付や表示部５０での表示を行いながら、また画像読取部１００、画像形成部２００、ネットワークＩ／Ｆ１７、ＦＡＸ通信部１８などを制御しながら実行される。以下、説明の簡略化のため個々の処理についての主体はしばしば省略する。
図１２は、図２の画像形成装置におけるショートカットキー操作時の動作の一例を説明するためのフロー図で、図１３は、図１２のショートカットキー操作時の動作の具体例を示す模式図である。
【００６４】
ショートカットキー対応処理は、まずショートカットキーの入力を行ってからＩＤカード（例えばＩＣカードや磁気カード）によりユーザ認証処理を行うことで開始される。具体的な画面例を挙げると、図１３の画面７１ａ（図７の画面５０と同じ画面）のように「ＩＤカードをタッチしてください」などと認証を促す表示を行うとともに、入力値の入力欄７２ａも入力可能に表示されている。入力値は置数キーで入力する。なお、使用前に不用な入力値が残っていて、ログインの際の妨げとならないよう、置数キーの入力値の保持は、一定時間を越えると無効とし消去すればよい。
【００６５】
画面７１ａは、最初の画面から入力欄７２ａのように入力欄に「０」を入力した状態を示している。次に、画面７１ａを表示した状態で入力欄７２ａへの入力（この例では「１」を入力）すると、画面７１ｂに移行して入力欄７２ｂのようになり、さらに入力欄７２ｂへの入力（この例では「３」を入力）すると、画面７１ｃに移行して入力欄７２ｃのように「０１３」がショートカットキーとして入力された状態になる。ユーザはこの状態を確認して、ＩＣカードをタッチするなどしてユーザ認証処理を行う。これにより、そのショートカットキーに対応付けられた画面表示（画面７１ｄの表示）と処理（この例ではカラーコピーであって部数が「３」部、が実行される。この例は、カラーコピーを３部実行する場合の入力例であり、予めセットされた原稿の複写が、メッセージ出力とともにカラーで３部印刷実行される。なお、ここではコピー機能の操作画面として画面７１ｄを示しているが、このようにその画像処理を実行後を示す画面を表示する前に、実行中を示す画面や、コピー機能の操作画面を表示するようにしてもよい。そして、この状態で終了キー７３が押下されるとログアウトする。続けてログインしたまま使用する場合は、例えばリセットキーを押下すればメニュー画面（機能選択のデフォルト画面）に戻る。
【００６６】
この処理の流れを説明すると、まず、プリンタ機能以外を実行する際には、予め原稿をセットする。以下の説明を概略的に説明すると、ログインする前に置数キーで入力した値は操作パネル上に表示され、一つ目と二つ目に入力した番号によってショートカットの実行内容が決まり、コピー及びプリンタにおいては、三つ目以降が部数の設定となる。
【００６７】
まず、入力欄に入力された一つ目の番号は登録済みキーの番号（機能対応として登録された番号であり、例えば図８の例では「０」ならコピー機能）であるか否かを判定する（ステップＳ３１）。ステップＳ３１でＮＯであれば通常のログインであると判定して、通常のログインを行って階層のトップ画面（メニュー画面）の表示を行い（ステップＳ３９）、ユーザ操作に従って通常の画面切換処理を行う（ステップＳ３８）。
【００６８】
ステップＳ３１でＹＥＳの場合、二つ目の番号の入力があるか否かを判定し（ステップＳ３２）、ない場合には選択機能画面の表示（例えば「０」のみの入力であればコピーの操作画面の表示）を行う（ステップＳ４０）。ステップＳ４０ではその機能の実行は行わず、ステップＳ３８へ進む。ステップＳ３２でＹＥＳの場合には、入力欄に入力された二つ目の番号は登録済みキーの番号（機能における例えば設定項目対応として登録された番号であり、例えば図８の例では「１」ならカラー）であるか否かを判定する（ステップＳ３３）。ステップＳ３３でＮＯであればステップＳ４０へ進む。一方、ステップＳ３３でＹＥＳの場合には、その機能がコピー機能かプリンタ機能のいずれかであるか、それ以外の機能であるのかを判定する（ステップＳ３４）。
【００６９】
ステップＳ３４でＮＯの場合、登録済みのショートカット機能の実行を行う（ステップＳ４１）。ステップＳ３４でＹＥＳの場合、三つ目以降の番号の入力があるか否かを判定し（ステップＳ３５）、ＮＯの場合には登録済みのショートカット機能の実行を行う（ステップＳ４１）。ステップＳ４１では印刷の場合には部数は１部とするなど基本的に最小限の実行に留める。ステップＳ３５でＹＥＳの場合には、入力欄に入力された三つ目以降の番号により印刷部数を決定し（ステップＳ３６）、その部数で、登録済みのショートカット機能を実行する（ステップＳ３７）。ステップＳ３７の後やステップＳ４１の後は、ステップＳ３８へ進む。
【００７０】
なお、この処理例ではユーザ認証処理（ログイン処理）がなされた後で入力値の判定を行うことを前提としているが、これに限ったものではない。また、ユーザ認証に関し、認証情報を操作部６０から入力する場合には、認証情報の桁数を決めておくなどして、ショートカットキーと合わせて１つの文字列として入力するようにしてもよいし、別の入力として取り扱ってもよい。但し、認証部１４としては、いずれの構成よりも例示したようにＩＣカード等のＩＤカードや指紋等による生体認証によりユーザ認証する構成を採用することが好ましい。
【００７１】
ステップＳ３５，Ｓ３６，Ｓ４１の処理として例示したように、画像形成装置１は、置数キーの入力に引き続き、（画像処理機能における出力回数を示す）数字キーが入力されたとき、その置数キーに対応付けられた画像処理機能による画像処理をその数字キーが示す繰り返し回数だけ繰り返す（出力回数だけ実行する）ことが好ましい。また、置数キーの入力に引き続き、そのような数字キーが入力されなかった場合、画像処理機能による画像処理を１回実行するようにすればよい。このように、部数の入力を省略することにより最低部数（１部）を出力するため、１部のみ出力したい場合にも面倒にならない。なお、ここで、便宜上、操作画面やその後の実行動作の種類についてのショートカットキーとしての「置数キー」の入力と区別するために、「数字」キーと表現しているに過ぎない。また、登録部は、このような部数対応も行うか否かを設定する設定部を具備しておいてもよい。
【００７２】
以下に、図１４〜図１７を参照しながら、先ほどのショートカットキー登録の説明で対応付けた場合の実施について説明する。
図１４は、図２の画像形成装置においてコピー機能の操作画面へ移行するための処理を説明するための概念図、図１５は、図２の画像形成装置においてプリンタ機能の操作画面へ移行するための処理を説明するための概念図、図１６は、図２の画像形成装置においてドキュメント機能の操作画面へ移行するための処理を説明するための概念図、図１７は、図２の画像形成装置においてＦＡＸ機能の操作画面へ移行するための処理を説明するための概念図である。
【００７３】
図１４に示すようにコピー機能については、画像形成装置１において、ユーザがハードキー６３によりショートカットキーを押下し、その後、ＩＤカード又は指紋等による生体認証によりユーザ認証（認証ログイン）を行うと、機能選択画面ではなく、直接、コピー機能画面８１ａ，８１ｂ，８１ｃのいずれかの画面が表示される。一つ目のショートカットキー０にコピー機能が対応付けられ、二つ目のショートカットキー１にカラー、２にモノクロが対応付けられている場合を想定しており、またコピー対象が画像読取部から読み取った画像データとすることを想定しており、その原稿がセットされているものとする。そして、三つ目以降の数値入力で、コピー部数を設定するものとし、入力しない場合（つまり省略した場合）は１部コピーとなる。
【００７４】
ショートカットキーとして「０」のみが入力された場合には通常のコピー機能画面（コピー機能に関する操作画面）８１ａが表示され、それ以外の動作は実行せず、次のユーザ操作待ちとなる。ショートカットキーとして「０１３」が入力された場合には、カラーコピー３部が実行され、コピー機能画面を表示後にコピー完了を示すコピー機能画面８１ｂが表示される。ショートカットキーとして「０２」が入力された場合には、モノクロコピー１部が実行され、コピー機能画面を表示後にコピー完了を示すコピー機能画面８１ｃが表示される。
【００７５】
図１５に示すようにプリンタ機能については、画像形成装置１において、ユーザがハードキー６３によりショートカットキーを押下し、その後、ユーザ認証（認証ログイン）を行うと、機能選択画面ではなく、直接、プリンタ機能画面８２ａ，８２ｂ，８２ｃ，８２ｄのいずれかの画面が表示される。一つ目のショートカットキー１にプリント機能が対応付けられ、二つ目のショートカットキー０にファイル削除、１にカラー、２にモノクロが対応付けられている場合を想定している。また、コピー機能と同様にプリント機能においても、三つ目以降の数値入力で、印刷部数を設定するものとし、入力しない場合は１部印刷としておけばよい。
【００７６】
ショートカットキーとして「１」のみが入力された場合には通常のプリンタ機能画面（プリンタ機能に関する操作画面）８２ａが表示され、それ以外の動作は実行せず、次のユーザ操作待ちとなる。ここではプリント対象が例えば画像読取部から読み取る場合やＵＳＢメモリや外部のサーバやＰＣから読み取る（受け取る）場合を想定しており、そのようにして読み取ったファイル名もこの画面８２ａに表示しておくことが好ましい。ショートカットキーとして「１０」が入力された場合には、読み取ったファイルを削除し、プリント機能画面を表示後に削除完了を示すプリンタ機能画面８２ｂが表示される。ショートカットキーとして「１１」が入力された場合には、カラープリントが１部実行され、プリンタ機能画面を表示後に印刷完了を示すプリント機能画面８２ｃが表示される。ショートカットキーとして「１２」が入力された場合には、モノクロプリント１部が実行され、プリンタ機能画面を表示後に印刷完了を示すプリント機能画面８２ｄが表示される。
【００７７】
図１６に示すようにドキュメント機能については、画像形成装置１において、ユーザがハードキー６３によりショートカットキーを押下し、その後、ユーザ認証（認証ログイン）を行うと、機能選択画面ではなく、直接、ドキュメント機能画面８３ａ，８３ｂ，８３ｄのいずれかの画面が表示される。一つ目のショートカットキー２にドキュメント機能（Ｅ−ｍａｉｌ送信）が対応付けられ、二つ目のショートカットキー１にカラースキャン、２にモノクロスキャンが対応付けられている場合を想定している。また、ここでは電子メール送信対象が画像読取部から読み取った画像データとすることを想定しており、その原稿がセットされているものとする。また、Ｅ−ｍａｉｌ宛先は１件登録しておき、また、スキャン時の解像度やファイルフォーマット等の詳細設定はデフォルト若しくは予め設定済みとする。
【００７８】
ショートカットキーとして「２」のみが入力された場合には通常のドキュメント機能画面（ドキュメント機能に関する操作画面）８３ａが表示され、それ以外の動作は実行せず、次のユーザ操作待ちとなる。ショートカットキーとして「２１」が入力された場合には、カラースキャンが実行され、読み込み終了キーを含めたドキュメント機能画面８３ｂが表示され、スキャン終了により送信済みを示すドキュメント機能画面８３ｃが表示される。ショートカットキーとして「２２」が入力された場合には、モノクロスキャンが実行され、読み込み終了キーを含めたドキュメント機能画面８３ｄが表示され、スキャン終了により送信済みを示すドキュメント機能画面８３ｅが表示される。ここで、読み込み終了キーを押下した時点で、登録先のＥ−ｍａｉｌアドレスへの送信がなされるようにしておけばよい。なお、続けて別の原稿をセットするときは、セット後にスタートボタンを押下してスキャンし、全ての原稿を読み込んだ後、読み込み終了キーを押下して電子メールを送信すればよい。
【００７９】
また、一つ目のショートカットキー３にドキュメント機能（ＵＳＢ保存）が対応付けられ、二つ目のショートカットキー１にカラースキャン、２にモノクロスキャンが対応付けられている場合を想定すると、例えばショートカットキー「３１」でカラースキャンしてそれをＵＳＢメモリに保存する処理がなされる。画面についてもそれに対応した画面が表示される。ここで、続けて別の原稿をセットするときは、セット後にスタートボタンを押下してスキャンし、全ての原稿を読み込んだ後、読み込み終了ボタンを押下して保存すればよい。
【００８０】
また、一つ目のショートカットキー４にドキュメント機能（ＨＤＤ保存）が対応付けられ、二つ目のショートカットキー１にカラースキャン、２にモノクロスキャンが対応付けられている場合を想定すると、例えばショートカットキー「４２」でモノクロスキャンしてそれをＨＤＤに保存する処理がなされる。画面についてもそれに対応した画面が表示される。ここで、続けて別の原稿をセットするときについてはＵＳＢ保存の場合と同様である。
【００８１】
図１７に示すようにＦＡＸ機能については、画像形成装置１において、ユーザがハードキー６３によりショートカットキーを押下し、その後、ユーザ認証（認証ログイン）を行うと、機能選択画面ではなく、直接、ＦＡＸ機能画面８４ａ，８４ｂ，８４ｄ，８４ｆのいずれかの画面が表示される。一つ目のショートカットキー５にＦＡＸ機能が対応付けられ、二つ目のショートカットキー０〜９にそれぞれ異なる登録先のＦＡＸ番号が対応付けられている場合を想定している。また、ここではＦＡＸ送信対象が画像読取部から読み取った画像データとすることを想定しており、その原稿がセットされているものとする。
【００８２】
ショートカットキーとして「５」のみが入力された場合には通常のＦＡＸ機能画面（ＦＡＸ機能に関する操作画面）８４ａが表示され、それ以外の動作は実行せず、次のユーザ操作待ちとなる。ショートカットキーとして「５０」が入力された場合には、０番の登録先へダイヤルすることを示したＦＡＸ機能画面８４ｂが表示され、送信終了により送信先と送信済みを示すＦＡＸ機能画面８４ｃが表示される。同様に、ショートカットキーとして「５１」が入力された場合には、１番の登録先に関するＦＡＸ機能画面８４ｄが表示され、送信終了により送信先と送信済みを示すＦＡＸ機能画面８４ｅが表示される。同様に、ショートカットキーとして「５９」が入力された場合には、９番の登録先に関するＦＡＸ機能画面８４ｆが表示され、送信終了により送信先と送信済みを示すＦＡＸ機能画面８４ｇが表示される。なお、送信先に繋がり、ＦＡＸ信号が検出された後で、自動で送信されなければスタートボタンを押下して送信すればよい。また、ＦＡＸ送信の場合はダイヤル実行までショートカットキーで行い、ＦＡＸ送信を開始するためにはユーザはスタートボタンを押下する必要があるような処理を採用してもよい。
【００８３】
図１４〜図１７での例示からも分かるように、本発明では、操作画面を表示させる際に、ユーザ認証処理と操作パネル上の置数キー（ハードウェアキーやソフトウェアキー）の操作とにより、途中の操作画面を飛ばして、置数キーに対応付けたユーザ所望の操作画面を表示すると共に、所望操作画面での次の動作の実行を行うため、操作回数の削減と実行までに要する時間の短縮を図ることができる。
【符号の説明】
【００８４】
１…画像形成装置、１０…ＣＰＵ、１１…ＲＯＭ、１２…ＲＡＭ、１３…記憶部、１４…認証部、１５…通信部、１６…ＩＣカード、１７…ネットワークＩ／Ｆ、１８…ＦＡＸ通信部、４０…操作パネル、５０…表示部、６０…操作部、１００…画像読取部、１０５…原稿台、１２０…スキャナ部、１５０…画像処理部、１６０…画像記憶部、１７０…画像読取制御部、２００…画像形成部。
【図１】
2011239251.tif 000003
【図２】
2011239251.tif 000004
【図３】
2011239251.tif 000005
【図４】
2011239251.tif 000006
【図５】
2011239251.tif 000007
【図６】
2011239251.tif 000008
【図７】
2011239251.tif 000009
【図８】
2011239251.tif 000010
【図９】
2011239251.tif 000011
【図１０】
2011239251.tif 000012
【図１１】
2011239251.tif 000013
【図１２】
2011239251.tif 000014
【図１３】
2011239251.tif 000015
【図１４】
2011239251.tif 000016
【図１５】
2011239251.tif 000017
【図１６】
2011239251.tif 000018
【図１７】
2011239251.tif 000019
【図１８】
2011239251.tif 000020